(57)【特許請求の範囲】
【請求項１】
上側フランジと下側フランジが水平をなすように設置されたＨ型鋼を構造材料とする建築物において、コンクリートスラブを施工する際に鉛直方向と平行な状態で前記上側フランジと前記下側フランジの間に設置されて角材を支持するデッキプレート支持具であって、
外周面に雄ネジ部が設けられるとともに上部受け金具が上端に取り付けられた支柱と、
下端に下部受け金具が取り付けられるとともに上方から挿入された前記支柱を回動自在に保持する筒状の脚部と、
前記支柱へ回動可能に外挿される筒状の支持金具と、
この支持金具に設置される角材受け金具と、
前記支持金具と前記脚部の間において前記支柱の前記雄ネジ部に螺合される上部ナット及び下部ナットと、
前記支持金具及び前記脚部に対し半径方向の内側へ向けて先端が突出するようにそれぞれ設けられる上部ガイド部材及び下部ガイド部材と、
前記先端が内部に配置された状態で前記上部ガイド部材及び前記下部ガイド部材を長手方向へ案内可能に、前記支柱の外周面に前記上端と前記下端の間で軸方向と平行に設けられるガイド溝と、を備えたことを特徴とするデッキプレート支持具。
【請求項２】
前記角材受け金具は、平板材の一端が直角に曲折されたような形状をなし、前記支柱の軸方向に直交するように一端が前記支持金具に固定され平面視矩形状をなす第１の平坦部と、この第１の平坦部の他端から上方へ向かうように延設される第１の直立部からなることを特徴とする請求項１に記載のデッキプレート支持具。
【請求項３】
前記上部受け金具は、平板材の一端が直角に曲折されたような形状をなし、前記支柱の軸方向に直交するように配置され平面視矩形状をなす第２の平坦部と、この第２の平坦部の端部から上方へ向かうように延設される第２の直立部からなることを特徴とする請求項１又は請求項２に記載のデッキプレート支持具。
【請求項４】
前記下部受け金具は、矩形状の平板材の両端が折り曲げられて側面視「コ」の字状をなし、前記支柱の軸方向に直交するように配置される一対の第３の平坦部と、この一対の第３の平坦部の一端同士を接続するように設けられる第３の直立部からなることを特徴とする請求項１乃至請求項３のいずれか１項に記載のデッキプレート支持具。
【請求項５】
前記支柱及び前記脚部は、外周面に半径方向へそれぞれ設けられる第１のネジ孔及び第２のネジ孔を備え、
前記上部ガイド部材及び前記下部ガイド部材は、前記第１のネジ孔及び前記第２のネジ孔に螺挿されたことを特徴とする請求項１に記載のデッキプレート支持具。
【請求項６】
上側フランジと下側フランジが水平をなすように設置されたＨ型鋼を構造材料とする建築物において、請求項１乃至請求項５のいずれか１項に記載のデッキプレート支持具を用いてコンクリートスラブを形成するスラブ施工方法であって、
前記上側フランジと前記下側フランジの間に前記デッキプレート支持具を鉛直方向と平行に設置する工程と、
前記上側フランジの下面と前記下側フランジの上面をそれぞれ押圧するようにして前記デッキプレート支持具を前記Ｈ型鋼に対して固定する工程と、
前記デッキプレート支持具に設置された角材をその上面が所定の高さになるまで上昇させる工程と、
前記角材の上面にデッキプレートを設置する工程と、
予め練り混ぜられたコンクリートを前記デッキプレートの上面に流し込む工程と、
このコンクリートが固化した後に前記角材を前記デッキプレート支持具から撤去する工程と、
固化した前記コンクリートから前記デッキプレートを取り外す工程と、
前記Ｈ型鋼から前記デッキプレート支持具を撤去する工程と、を備えたことを特徴とするスラブ施工方法。
【発明の詳細な説明】
【技術分野】
【０００１】
本発明は、Ｈ型鋼を構造材料とする建築物において床や天井等にコンクリートスラブを形成するスラブ施工方法に係り、特に、型枠として用いられるデッキプレートの再利用を可能とするデッキプレート支持具とそれを用いたスラブ施工方法に関する。
【背景技術】
【０００２】
鉄筋コンクリートや鉄骨鉄筋コンクリートを構造材料とする建築物では、鋼製の板材を加工したデッキプレートがコンクリートスラブを形成する際の型枠として用いられることがあるが、従来、デッキプレートは梁の上面に溶接やボルト締め等によって固定されていた。しかしながら、このような方法では、コンクリートの固化に伴って、デッキプレートがスラブに埋設されてしまうため、回収が困難になるという問題があった。
【０００３】
ここで、デッキプレートの構造について図６を用いて説明する。図６（ａ）はデッキプレートの側面図であり、図６（ｂ）及び図６（ｃ）は図６（ａ）に示したデッキプレートを構成する２種類の型枠部材の平面図である。
なお、図６（ｂ）及び図６（ｃ）は図６（ａ）において矢印Ｂで示す方向に見たデッキプレートを２つの型枠部材に分解した状態を示す図に相当する。
【０００４】
図６（ａ）乃至図６（ｃ）に示すように、デッキプレート５１は、コンクリートを打設する際に上面５４ａ，５５ａが成型面となる平板５４，５５と、この平板５４，５５の下面５４ｂ，５５ｂに溶接や接着あるいはリベットやビスによって固定される角パイプ５６，５７によって構成される厚さ０．８ｍｍ程度の鋼板製の型枠部材５２，５３からなる。
角パイプ５６，５７はいずれも一端が扁平状に押圧変形されており、この端部（以下、扁平端５６ｂ，５７ｂという。）を閉塞するように鋼板製の長尺部材（図示せず）がその内部に挿設されている。そして、角パイプ５６の外径は角パイプ５７の内径よりも小さく、開口端５６ａは開口端５７ａに対して挿通可能に形成されている。
【０００５】
角パイプ５６の上面は平板５４に対し、長手方向の中央付近と扁平端５６ｂの近傍の２か所がスポット溶接されており、角パイプ５７の上面は平板５５に対し、長手方向の中央付近と両端近傍の３か所がスポット溶接されている。これにより、型枠部材５２は、型枠部材５３の角パイプ５７の内部に角パイプ５６を挿通するようにして、平板５４の下面５４ｂと角パイプ５６の上面の間に、平板５５を所定の長さだけ挿入可能となっている。
【０００６】
なお、平板５４，５５は厚さが０．８ｍｍ程度と薄いため、平板５４の下面５４ｂと角パイプ５６の上面の間に平板５５を挿入して平板５４，５５の一部を重ね合わせた後、上面５４ａ，５５ａにコンクリートを打設した場合でも、平板５４の下面５４ｂと平板５５の上面５５ａの間にコンクリートが入り込むおそれはない。
【０００７】
このように、デッキプレート５１は、角パイプ５６の開口端５６ａを角パイプ５７の開口端５７ａの内部に挿入するようにして型枠部材５２を型枠部材５３に連結し、図６（ａ）に矢印Ｘで示すように型枠部材５２，５３を互いにスライドさせることで、全長が容易に変化する構造となっている。したがって、デッキプレート５１は、コンクリートスラブから回収した後の利用範囲が広く、再利用に適している。
しかしながら、前述したように、デッキプレート５１は梁の上面に溶接やボルト締め等によって固定してしまうと、コンクリートスラブからの分離及び回収が困難になるため、容易に再利用できないという課題があった。
【０００８】
このような課題に対処するべく、近年では、コンクリートスラブの施工時にデッキプレートを回収可能な状態に設置する方法が提案されている。例えば、特許文献１には、「型枠支持具およびこれを用いたスラブ施工方法」という名称で、コンクリートスラブを施工する際に用いられる型枠を支持するのに適した型枠支持具と、その型枠支持具を用いてコンクリートスラブを施工する方法に関する発明が開示されている。
【０００９】
特許文献１に開示された「型枠支持具」は、鉄骨鉄筋コンクリート構造の建築物のスラブを形成する際に型枠が上面に載置される角材を支持するために、Ｈ型鋼の上下のフランジの間に設置された状態で使用されるものであり、可動体と、ネジ機構と、ナットからなり、上下方向に伸縮自在な支承体と、この支承体の上方において角材を受けるトッププレートを備えたことを特徴とする。
このような構造により、型枠を安定した状態で確実に支持することが可能となっている。
【００１０】
また、特許文献２には、「仮設型枠支持装置」という名称で、コンクリートスラブを施工する際に使用される型枠を支持するための装置に関する発明が開示されている。
特許文献２に開示された発明は、仮設型枠を下方から支持する仮設支持部と、梁の上下のフランジの内面をそれぞれ圧接可能に仮設支持部の両端部位に配置される固定機構を備えた構造となっている。
この場合、仮設支持部が固定機構によって梁に固定されるため、階下の床面まで延びる支柱を利用して仮設支持部を支持する必要がない。
【先行技術文献】
【特許文献】
【００１１】
【特許文献１】特開２０１５−１０５５５２号公報
【特許文献２】特開２００２−３０３０４１号公報
【発明の概要】
【発明が解決しようとする課題】
【００１２】
特許文献１に開示された発明においては、型枠支持具がＨ型鋼の梁の上側のフランジとトッププレートの間に角材を挟むようにして固定される構造であるため、角材をＨ型鋼の上側フランジの下面に当接させた状態を維持しつつ、型枠支持具のナットを操作して可動体を上昇させなければならない。また、この時点では型枠支持具がＨ型鋼に固定されておらず、不安定な状態にあるため、上記操作は、支柱ボルトの部分を手で保持するなどして、型枠支持具をしっかりと固定した状態で行う必要がある。さらに、型枠支持具をＨ型鋼から取り外す場合にも角材が落ちないように支持しなければならない。しかも、角材は長尺の重量物であるため、その上面を水平な状態に保って、Ｈ型鋼の上側フランジの下面に当接させた状態を維持することは容易でないものと推察される。
【００１３】
また、角材の上面は上側のフランジの下面に当接する構造であるため、角材の上面の高さを調節することができない。したがって、この型枠支持具をフランジの厚さが異なるＨ型鋼に用いる場合には、型枠の下面側にスペーサを設置するなどして型枠の上面の高さを調節しなければならず、型枠の設置作業に時間を要するという課題があった。
【００１４】
さらに、可動体を構成する支柱パイプはネジ機構を構成する支柱ボルトに遊装されているのみで、支柱ボルトに対して支柱パイプの回動を拘束するような構造となっていないため、ナットを回動させた際にトッププレートの連れ回りを完全には防止できない。加えて、型枠支持具を持ち運んだり、Ｈ型鋼に取り付けたりする作業中に支柱ボルトから支柱パイプが不用意に抜け落ちてしまうおそれもある。
【００１５】
特許文献２に開示された発明は、角材の上面の高さを調節可能な構造ではないため、上側のフランジの厚さが異なるＨ型鋼の梁に用いる際には、特許文献１に開示された発明の場合と同様に、型枠の下面側にスペーサを設置するなどして型枠の上面の高さを調節する必要がある。したがって、型枠の設置作業を短時間で効率良く行うことができない可能性が高い。
【００１６】
また、ボルトやナットなどからなり、梁のフランジの内面を圧接可能に設置される固定機構がその中心軸周りの回動を拘束される構造となっておらず、ボルトを回動させる際に、他の部分が連れ回りしないように手で押さえなければならないため、作業性が良くないものと考えられる。
【００１７】
本発明は、このような従来の事情に対処してなされたものであり、上下のフランジの間隔やフランジの厚さが異なる複数種類のＨ型鋼に対して共通して使用することができ、Ｈ型鋼への取り付け及び取り外しを短時間で安全に効率良く行うことが可能なデッキプレート支持具とそれを用いたスラブ施工方法を提供することを目的とする。
【課題を解決するための手段】
【００１８】
上記目的を達成するため、第１の発明は、上側フランジと下側フランジが水平をなすように設置されたＨ型鋼を構造材料とする建築物において、コンクリートスラブを施工する際に鉛直方向と平行な状態で上側フランジと下側フランジの間に設置されて角材を支持するデッキプレート支持具であって、外周面に雄ネジ部が設けられるとともに上部受け金具が上端に取り付けられた支柱と、下端に下部受け金具が取り付けられるとともに上方から挿入された支柱を回動自在に保持する筒状の脚部と、支柱へ回動可能に外挿される筒状の支持金具と、この支持金具に設置される角材受け金具と、支持金具と脚部の間において支柱の雄ネジ部に螺合される上部ナット及び下部ナットと、を備えたことを特徴とするものである。
【００１９】
上記構造のデッキプレート支持具においては、支柱が脚部の上方に配置されるとともに支柱の軸方向が鉛直方向と平行になるように設置された状態で下部ナットを回動させると、支柱が上下方向へ移動するという作用を有する。さらに、この状態で上部ナットを回動すると、角材受け金具が支持金具とともに上下方向へ移動するという作用を有する。
【００２０】
また、第２の発明は、第１の発明において、支持金具及び脚部に対し半径方向の内側へ向けて先端が突出するようにそれぞれ設けられる上部ガイド部材及び下部ガイド部材と、先端が内部に配置された状態で上部ガイド部材及び下部ガイド部材を長手方向へ案内可能に、支柱の外周面に上端と下端の間で軸方向と平行に設けられるガイド溝と、を備えたことを特徴とするものである。
【００２１】
このような構造のデッキプレート支持具においては、上部ガイド部材の先端が支柱の外周面に軸方向と平行に設けられたガイド溝内に配置されるとともに、この上部ガイド部材が支持金具に設けられていることから、第１の発明の作用に加えて、ガイド溝が支持金具の移動方向を支柱の軸方向のみに限定し、支柱に対する支持金具の回動を防ぐという作用を有する。
【００２２】
また、下部ガイド部材の先端が上記ガイド溝内に配置されるとともに、この下部ガイド部材が脚部に設けられていることから、ガイド溝が脚部の移動方向を支柱の軸方向のみに限定し、支柱に対する脚部の回動を防ぐという作用を有する。
さらに、ガイド溝の両端を閉じた構造とすれば、上部ガイド部材及び下部ガイド部材がガイド溝の上端及び下端にそれぞれ係止することにより、支柱からの支持金具と脚部の抜け落ちが防止されるという作用を有する。
【００２３】
第３の発明は、第１の発明又は第２の発明において、角材受け金具は、平板材の一端が直角に曲折されたような形状をなし、支柱の軸方向に直交するように一端が支持金具に固定され平面視矩形状をなす第１の平坦部と、この第１の平坦部の他端から上方へ向かうように延設される第１の直立部からなることを特徴とするものである。
【００２４】
上記構造のデッキプレート支持具においては、第１の発明又は第２の発明の作用に加えて、支柱が脚部の上方に配置されるとともに支柱の軸方向が鉛直方向と平行になるように設置された状態で角材受け金具の第１の平坦部の上面に角材を載置した場合、第１の平坦部によって角材が水平に保持されるという作用を有する。そして、第１の直立部は第１の平坦部の上面に載置された角材を支柱の軸中心周りに回動させないように保持するという作用を有する。
【００２５】
第４の発明は、第１の発明乃至第３の発明のいずれかにおいて、上部受け金具は、平板材の一端が直角に曲折されたような形状をなし、支柱の軸方向に直交するように配置され平面視矩形状をなす第２の平坦部と、この第２の平坦部の端部から上方へ向かうように延設される第２の直立部からなることを特徴とするものである。
【００２６】
上記構造のデッキプレート支持具においては、支柱の軸方向が鉛直方向と平行をなし、かつ、上部受け金具と下部受け金具によってＨ型鋼の上側フランジの下面と下側フランジの上面をそれぞれ押圧するとともに上部受け金具の第２の直立部が上側フランジの端面に当接するように上側フランジと下側フランジの間に設置された場合、第１の発明乃至第３の発明のいずれかの作用に加えて、Ｈ型鋼の上側フランジに上部金具が係止することにより、支柱の軸中心周りの回動が阻止されるという作用を有する。
【００２７】
第５の発明は、第１の発明乃至第４の発明のいずれかにおいて、下部受け金具は、矩形状の平板材の両端が折り曲げられて側面視「コ」の字状をなし、支柱の軸方向に直交するように配置される一対の第３の平坦部と、この一対の第３の平坦部の一端同士を接続するように設けられる第３の直立部からなることを特徴とするものである。
【００２８】
上記構造のデッキプレート支持具では、支柱の軸方向が鉛直方向と平行をなし、かつ、上部受け金具と下部受け金具によってＨ型鋼の上側フランジの下面と下側フランジの上面をそれぞれ押圧するとともに下部受け金具の一対の第３の平坦部によって下側フランジが上下から挟み込まれ、第３の直立部が下側フランジの端面に当接するように上側フランジと下側フランジの間に設置された場合、第１の発明乃至第４の発明のいずれかの作用に加えて、Ｈ型鋼の下側フランジに下部金具が係止することにより、第３の直立部と平行な平面内における脚部の揺動と軸中心周りの脚部の回動が阻止されるという作用を有する。
【００２９】
第６の発明は、第２の発明において、支柱及び脚部は、外周面に半径方向へそれぞれ設けられる第１のネジ孔及び第２のネジ孔を備え、上部ガイド部材及び下部ガイド部材は、第１のネジ孔及び第２のネジ孔に螺挿されたことを特徴とするものである。
このような構造のデッキプレート支持具においては、第２の発明の作用に加えて、上部ガイド部材及び下部ガイド部材を所定の方向へ回動して第１のネジ孔及び第２のネジ孔から撤去すると、脚部と支持金具が支柱から抜き取り可能な状態になるという作用を有する。
【００３０】
第７の発明は、上側フランジと下側フランジが水平をなすように設置されたＨ型鋼を構造材料とする建築物において、第１の発明乃至第６の発明のいずれかに係るデッキプレート支持具を用いてコンクリートスラブを形成するスラブ施工方法であって、上側フランジと下側フランジの間にデッキプレート支持具を鉛直方向と平行に設置する工程と、上側フランジの下面と下側フランジの上面をそれぞれ押圧するようにしてデッキプレート支持具をＨ型鋼に対して固定する工程と、デッキプレート支持具に設置された角材をその上面が所定の高さになるまで上昇させる工程と、角材の上面にデッキプレートを設置する工程と、予め練り混ぜられたコンクリートをデッキプレートの上面に流し込む工程と、このコンクリートが固化した後に角材をデッキプレート支持具から撤去する工程と、固化したコンクリートからデッキプレートを取り外す工程と、Ｈ型鋼からデッキプレート支持具を撤去する工程と、を備えたことを特徴とするものである。
【００３１】
このような構成のスラブ施工方法によれば、上側フランジと下側フランジが水平をなすように設置されたＨ型鋼を構造材料とする建築物に対してコンクリートスラブを形成する際に、第１の発明乃至第６の発明のいずれかの作用が発揮される。
【発明の効果】
【００３２】
以上説明したように、第１の発明においては、支柱が脚部の上方に配置され、かつ、支柱の軸方向が鉛直方向と平行に設置された状態で下部ナットを回動させると、支柱が上下方向へ移動するため、全体の長さが変化する。したがって、上側フランジから下側フランジまでの距離が異なる複数種類のＨ型鋼に対しても、その距離に応じて全体の長さを調節することにより、支障なく設置することができる。
【００３３】
また、本発明によれば、上側フランジと下側フランジの間に設置された後に下部ナットを回動させて支柱を上昇させ、上側フランジの下面と下側フランジの上面に上部受け金具と下部受け金具を当接させた状態で、さらに下部ナットを回動させて支柱を上昇させると、上側フランジの下面と下側フランジの上面が上部受け金具と下部受け金具によってそれぞれ押圧される。これにより、Ｈ型鋼に対して確実に固定することができる。
【００３４】
さらに、本発明のデッキプレート支持具によれば、特許文献１に開示された発明とは異なり、Ｈ型鋼の上側フランジと上部受け金具の間に角材を設置するようにして固定される構造ではないため、当該デッキプレート支持具をＨ型鋼に固定するまでの間、長尺の重量物である角材を、その上面が上側フランジの下面に当接するように水平な状態で支持し続けるといった作業は不要である。また、当該デッキプレート支持具をＨ型鋼から取り外す際に、別途、角材を支持する必要もない。
【００３５】
そして、上部ナットを回動させることにより、角材受け金具に設置された角材の上面の高さを容易に調節できるため、フランジの厚さが異なるＨ型鋼に用いる場合にも、角材の上面にスペーサを設置するなどしてデッキプレートの上面の高さを調整する必要がない。したがって、型枠の設置作業を短時間で効率良く行うことができる。
【００３６】
第２の発明では、脚部と支持金具の移動方向が支柱の軸方向のみに限定されているため、上部ナットや下部ナットを回動させた際に脚部や支持金具が連れ回りをするおそれがない。したがって、第２の発明においては、第１の発明の効果を奏することに加えて、支柱や角材受け金具を上下方向に移動させて全体の長さや角材の上面の高さを調節する作業を極めて効率良く行うことが可能である。また、ガイド溝の両端を閉じた構造とすれば、持ち運びの際やＨ型鋼への設置若しくは撤去の際に、脚部や支持金具が支柱から勝手に抜け落ちてしまう心配がないため、安全性に優れている。
【００３７】
第３の発明によれば、支柱の軸方向が鉛直方向と平行になるようにＨ型鋼に設置された時点で、既に角材受け金具の第１の平坦部が水平な状態となっているため、第１の発明又は第２の発明の効果に加えて、角材の設置作業を効率良く行うことができるという効果を奏する。また、角材受け金具を上下方向へ移動させる際に、角材が支柱を軸として搖動するおそれがないため、当該作業を安全に効率良く行うことができる。
【００３８】
第４の発明では、第１の発明乃至第３の発明のいずれかの効果に加えて、上側フランジの下面と下側フランジの上面が上部受け金具と下部受け金具によってそれぞれ押圧されるように、下部ナットを回動させて支柱を上昇させる際に、上部フランジに係止した上部金具によって、支柱のＨ型鋼に対する揺動が阻止されるため、当該作業を安全に効率良く行うことができるという効果を奏する。
【００３９】
第５の発明では、Ｈ型鋼の下側フランジに脚部を設置した時点で、脚部が下部受け金具を介して下側フランジに係止するため、上部受け金具を上側フランジに当接させる前であっても、倒れたり、搖動したりするおそれがない。したがって、第５の発明によれば、第１の発明乃至第４の発明のいずれかの効果に加えて、Ｈ型鋼の下側フランジに脚部を設置した後、支柱を上昇させる作業を安全に効率良く行うことができるという効果を奏する。
【００４０】
第６の発明では、上部ガイド部材及び下部ガイド部材を所定の方向へ回動して第１のネジ孔及び第２のネジ孔から撤去することにより脚部と支持金具が支柱から抜き取り可能になる。そのため、第６の発明においては、第２の発明の効果に加えて、分解して嵩張らない状態にすることで持ち運びや保管が容易になるという効果を奏する。さらに、支柱と脚部の組み合わせを変更することができるため、例えば、長さの異なる複数種類の支柱と脚部を予め準備しておけば、Ｈ型鋼の上側フランジから下側フランジまでの距離が異なる場合でも、支柱と脚部の組み合わせを適宜変更することで、容易に対応することができる。
【００４１】
第７の発明に係るスラブ施工方法においては、第１の発明乃至第６の発明のいずれかの効果が発揮されるため、上下のフランジの間隔やフランジの厚さが異なる複数種類のＨ型鋼を構造材料とする建築物に対しても支障なく適用できるという効果を奏する。
【図面の簡単な説明】
【００４２】
【図１】（ａ）及び（ｂ）はそれぞれ本発明の実施の形態に係るデッキプレート支持具及び支柱の実施例の外観斜視図である。
【図２】図１（ａ）におけるＡ−Ａ線矢視断面図である。
【図３】本発明のデッキプレート支持具を用いてコンクリートスラブを施工する際の手順の実施例を示したフローチャートである。
【図４】（ａ）及び（ｂ）は本発明のデッキプレート支持具がＨ型鋼に取り付けられた状態を示す側面図である。
【図５】（ａ）及び（ｂ）は本発明のデッキプレート支持具がＨ型鋼に取り付けられた状態を部分的に拡大して示した側面図である。
【図６】（ａ）はデッキプレートの側面図であり、（ｂ）及び（ｃ）はそれぞれ同図（ａ）に示したデッキプレートを構成する２種類の型枠部材の平面図である。
【発明を実施するための形態】
【００４３】
本発明のデッキプレート支持具について、図１乃至図５を参照しながら具体的に説明する。なお、本発明のデッキプレート支持具は、Ｈ型鋼の上側フランジと下側フランジの間に長手方向が鉛直方向と平行をなすように設置されて使用されるものである。したがって、以下の説明では、デッキプレート支持具が実際に使用されるように設置された状態を想定して、「一端」や「他端」という代わりに「上端」や「下端」という表現を用いている。
【実施例】
【００４４】
図１（ａ）及び図１（ｂ）はそれぞれ本発明のデッキプレート支持具及びそれを構成する支柱の外観の一例を示す斜視図であり、図２は図１（ａ）におけるＡ−Ａ線矢視断面図である。
図１及び図２に示すように、本発明のデッキプレート支持具１は、外周面に雄ネジ部３ａが設けられ、上端に上部受け金具２が取り付けられた支柱３と、下端に下部受け金具４が取り付けられ、上方から挿入された支柱３を回動可能に保持する筒状の脚部５と、支柱３へ回動可能に外挿される筒状の支持金具６と、支持金具６に設置される角材受け金具７及び補強金具８と、支持金具６と脚部５の間において支柱３の雄ネジ部３ａに螺合される上部ナット９及び下部ナット１０と、を備えている。
【００４５】
上部受け金具２は、上面にゴム板１１ａが設置されるとともに支柱３の軸方向に直交するように配置され、平面視矩形状をなす平坦部２ａと、この平坦部２ａの端部から上方へ向かうように延設される直立部２ｂからなり、矩形状の平板材が一端を直角に折り曲げられたような形状をしている。なお、上部受け金具２は、支柱３の上端に対して溶接されており、平坦部２ａの上面にはゴム板１１ａが接着剤等を用いて接合されている。
また、支柱３の外周面には、上端と下端の間に両端が閉じられたガイド溝３ｂが軸方向と平行に所定の幅で設けられている（図１（ｂ）参照）。
【００４６】
下部受け金具４は、矩形状の平板材の両端が折り曲げられて側面視「コ」の字状をなしており、支柱３の軸方向に直交するように配置される平坦部４ａ，４ｂと、平坦部４ａ，４ｂの一端同士を接続するように設けられる直立部４ｃからなる。ただし、下部受け金具４は脚部５の下端に溶接されており、平坦部４ａの下面にはゴム板１１ｂが接着剤等を用いて接合されている。
なお、下部受け金具４は、Ｈ型鋼の下側フランジを一時的に挟持する手段が設けられた構造であっても良い。この場合、後述するステップＳ３及びステップＳ８において、下部ナット１０を回動させて支柱３を上昇若しくは下降させる際の安全性がより一層高まるという効果が期待できる。
一方、脚部５は、外周面にネジ孔（図示せず）が半径方向へ設けられており、このネジ孔に螺合する下部ガイド部材１２ｂが先端を支柱３のガイド溝３ｂの内部に対して配置可能に螺挿されている。この場合、ガイド溝３ｂは下部ガイド部材１２ｂとともに脚部５の移動方向を支柱３の軸方向のみに限定し、支柱３に対する脚部５の回動を防ぐという作用を有する。
【００４７】
支持金具６は、外周面にネジ孔（図示せず）が半径方向へ設けられており、このネジ孔に螺合する上部ガイド部材１２ａが先端を支柱３のガイド溝３ｂの内部に対して配置可能に螺挿されている。これにより、上部ガイド部材１２ａはガイド溝３ｂの長手方向に対してのみ移動可能となっている。この場合、ガイド溝３ｂは上部ガイド部材１２ａとともに支持金具６の移動方向を支柱３の軸方向のみに限定し、支柱３に対する支持金具６の回動を防ぐという作用を有する。
【００４８】
角材受け金具７は、支柱３の軸方向に直交するように一端が支持金具６に溶接され平面視矩形状をなす平坦部７ａと、この平坦部７ａの他端から上方へ向かうように延設される直立部７ｂからなり、平板材の一端が直角に曲折されたような形状をなしている。また、補強金具８は平面視直角三角形状をなし、直角を挟む二辺の端面が支柱３の外周面と角材受け金具７の下面に対してそれぞれ溶接されている。
また、上部ナット９は下部ナット１０の上方に設置されており、上部ナット９及び下部ナット１０の外周面には一対の突起部９ａ，９ａ及び突起部１０ａ，１０ａが半径方向と平行にそれぞれ設けられている。
【００４９】
このような構造のデッキプレート支持具１においては、支柱３が脚部５の上方に配置されるようにして支柱３の軸方向が鉛直方向と平行になるように設置された状態で下部ナット１０を回動させると、支柱３が上下方向へ移動する。すなわち、デッキプレート支持具１においては、下部ナット１０を回動させるという簡単な操作によって全体の長さが容易に変化するため、上側フランジから下側フランジまでの距離が異なる複数種類のＨ型鋼に対しても、その距離に応じて全体の長さを調節することにより、支障なく設置することができる。
【００５０】
また、デッキプレート支持具１では、上部ガイド部材１２ａと下部ガイド部材１２ｂがガイド溝３ｂの上端及び下端にそれぞれ係止するため、持ち運びの際やＨ型鋼への設置若しくは撤去の際に、脚部５や支持金具６が支柱３から勝手に抜け落ちてしまう心配がないため、安全性に優れている。
さらに、上部ガイド部材１２ａや下部ガイド部材１２ｂを所定の方向へ回動させて支持金具６や脚部５のネジ孔から撤去すると、脚部５と支持金具６が支柱３から抜き取り可能になる。この場合、分解して嵩張らない状態にすることで持ち運びや保管が容易になるというメリットがある。加えて、支柱３と脚部５の組み合わせを変更することができるため、例えば、長さの異なる複数種類の支柱３と脚部５を予め準備しておけば、Ｈ型鋼の上側フランジから下側フランジまでの距離が異なる場合でも、支柱と脚部の組み合わせを適宜変更することで、容易に対応することができる。
【００５１】
次に、デッキプレート支持具１を用いたコンクリートスラブの施工方法について、図４及び図５を適宜参照しながら図３を用いて説明する。
図３は本発明のデッキプレート支持具を用いてコンクリートスラブを施工する際の作業手順の実施例を示したフローチャートである。また、図４及び図５は、その作業手順を説明するために、Ｈ型鋼に対するデッキプレート支持具の取り付け状態を拡大して示した側面図である。
なお、図５（ｂ）における５２（５３）や５６ｂ（５７ｂ）等の表記はデッキプレート支持具１によって支持された角材１４の上面に型枠部材５２，５３のいずれもが同様の状態で載置され得ることを示している。また、図１と図２及び図６に示した構成要素については同一の符号を付して、その説明を省略する。
【００５２】
まず、ステップＳ１において、突起部１０ａを持って下部ナット１０を所定の方向へ回動させてデッキプレート支持具１をＨ型鋼１３の上側フランジ１３ａと下側フランジ１３ｂの間に設置可能な高さに調節する。
次に、ステップＳ２において、Ｈ型鋼１３に対し、下部受け金具４の一対の平坦部４ａ，４ｂによって下側フランジ１３ｂを上下から挟み込み、ゴム板１１ｂの下面を下側フランジ１３ｂの上面に当接させるとともに直立部４ｃを下側フランジ１３ｂの端面に当接させるようにして上側フランジ１３ａと下側フランジ１３ｂの間にデッキプレート支持具１を長手方向が鉛直方向と平行になるように設置する（図４（ａ）参照）。
【００５３】
ステップＳ３では、突起部１０ａを持って下部ナット１０を所定の方向へ回動させることにより支柱３を上昇させ、上部受け金具２の平坦部２ａの上面に設置されたゴム板１１ａの上面を上側フランジ１３ａの下面に当接させる。このとき、前述したように、脚部５の移動方向が支柱３の軸方向のみに限定されていることから、下部ナット１０の回動に伴って脚部５が連れ回りをする心配はない。
【００５４】
また、Ｈ型鋼１３の上側フランジ１３ａと下側フランジ１３ｂに上部金具２と下部受け金具４がそれぞれ係止することにより、支柱３と脚部５の軸中心周りの回動が阻止される。さらに、デッキプレート支持具１は下部受け金具４の平坦部４ａ，４ｂによって下側フランジ１３ｂを上下から挟み込むようにして設置されるため、下部受け金具４の直立部４ｃと平行な平面内における脚部５の揺動が阻止される。
すなわち、デッキプレート支持具１では、Ｈ型鋼１３の下側フランジ１３ｂに脚部５を設置した時点で、脚部５が下部受け金具４を介して下側フランジ１３ｂに係止するため、上部受け金具２を上側フランジ１３ａに当接させる前であっても、倒れたり、搖動したりするおそれがない。したがって、下部ナット１０を回動させ、安全に効率良く支柱３を上昇させることができる。
【００５５】
さらに、直立部２ｂが上側フランジ１３ａの端面に当接した状態で、下部ナット１０を回動させて支柱３を上昇させる。これにより、上側フランジ１３ａの下面と下側フランジ１３ｂの上面が上部受け金具２の平坦部２ａと下部受け金具４の平坦部４ａによってそれぞれ押圧されるため、Ｈ型鋼１３に対して確実にデッキプレート支持具１を固定することができる（図４（ｂ）参照）。
【００５６】
このように、デッキプレート支持具１では、Ｈ型鋼１３の上側フランジ１３ａと上部受け金具２の間に角材１４を設置するようにして固定される構造ではないため、デッキプレート支持具１をＨ型鋼１３に固定するまでの間、長尺の重量物である角材１４を、その上面が上側フランジ１３ａの下面に当接するように水平な状態で支持し続けるといった作業は不要である。また、デッキプレート支持具１をＨ型鋼１３から取り外す際に、別途、角材１４を支持する必要もない。
【００５７】
ステップＳ４では、角材受け金具７に対し、側面を直立部７ｂに当接させるようにして角材１４を平坦部７ａの上面に設置する（図５（ａ）参照）。そして、突起部９ａを持って上部ナット９を所定の方向へ回動し、角材受け金具７に設置された角材１４の上面が所定の高さになるまで支持金具６を上昇させる。
なお、デッキプレート支持具１では、支柱３の軸方向が鉛直方向と平行になるようにＨ型鋼１３に設定された時点で、既に角材受け金具７の平坦部７ａが水平な状態となっている。また、角材受け金具７を上昇させる際に、角材１４が支柱３を軸として搖動する心配がない。さらに、前述したように、支持金具６の移動方向が支柱３の軸方向のみに限定されていることから、上部ナット９の回動に伴って支持金具６が連れ回りをするおそれがない。したがって、デッキプレート支持具１においては、角材受け金具７に角材１４を設置して、支持金具６を上昇させるという上記作業を安全かつ効率的に行うことができる。
【００５８】
また、デッキプレート支持具１によれば、上部ナット９を回動させることで角材受け金具７に設置された角材１４の上面の高さを容易に調節できるため、上側フランジ１３ａの厚さが異なるＨ型鋼１３に用いる場合でも、角材１４の上面にスペーサを設置するなどしてデッキプレート５１の上面の高さを調整する必要がない。したがって、型枠の設置作業を短時間で効率良く行うことができる。
【００５９】
ステップＳ５では、型枠部材５２，５３をスライドさせてデッキプレート５１の全長を調節した後、角材１４の上面にデッキプレート５１の扁平端５６ｂ，５７ｂを載置する（図５（ｂ）参照）。そして、ステップＳ６では、予め練り混ぜたコンクリートをＨ型鋼１３の上側フランジ１３ａとデッキプレート５１の上面に流し込む。これにより、コンクリートの打設作業が完了し、そのコンクリートが固化することで、コンクリートスラブが形成される。
【００６０】
ステップＳ７では、突起部９ａを持って上部ナット９を所定の方向へ回動し、図５（ａ）に示した状態となるまで支持金具６を下降させた後、角材受け金具７から角材１４を撤去する。これにより、デッキプレート５１は下方への移動に対する拘束が解除されるため、コンクリートスラブから容易に分離可能となる。
さらに、ステップＳ８において、突起部１０ａを持って下部ナット１０を所定の方向へ回動させることにより、図４（ａ）に示した状態となるまで支柱３を下降させた後、デッキプレート支持具１をＨ型鋼１３から撤去する。
最後に、ステップＳ９において、デッキプレート５１をコンクリートスラブから撤去する。これにより、デッキプレート支持具１を用いたコンクリートスラブの施工作業が完了する。
【００６１】
以上、説明したように、本発明のデッキプレート支持具を用いたスラブ施工方法は、上下のフランジの間隔やフランジの厚さが異なる複数種類のＨ型鋼を構造材料とする建築物に対しても適用することが可能である。
【産業上の利用可能性】
【００６２】
請求項１乃至請求項６に記載された発明は、Ｈ型鋼を構造材料とする多層建築物の床や天井等にコンクリートスラブを施工する場合に適用可能である。
【符号の説明】
【００６３】
１…デッキプレート支持具  ２…上部受け金具  ２ａ…平坦部  ２ｂ…直立部  ３…支柱  ３ａ…雄ネジ部  ３ｂ…ガイド溝  ４…下部受け金具  ４ａ，４ｂ…平坦部  ４ｃ…直立部  ５…脚部  ６…支持金具  ７…角材受け金具  ７ａ…平坦部  ７ｂ…直立部  ８…補強金具  ９…上部ナット  ９ａ…突起部  １０…下部ナット  １０ａ…突起部  １１ａ，１１ｂ…ゴム板  １２ａ…上部ガイド部材  １２ｂ…下部ガイド部材  １３…Ｈ型鋼  １３ａ…上側フランジ  １３ｂ…下側フランジ  １４…角材  ５１…デッキプレート  ５２，５３…型枠部材  ５４，５５…平板  ５４ａ，５５ａ…上面  ５４ｂ，５５ｂ…下面  ５６，５７…角パイプ  ５６ａ，５７ａ…開口端  ５６ｂ，５７ｂ…扁平端  
【図１】
0006302498.tif 000002
【図２】
0006302498.tif 000003
【図３】
0006302498.tif 000004
【図４】
0006302498.tif 000005
【図５】
0006302498.tif 000006
【図６】
0006302498.tif 000007